【手続補正書】
【提出日】平成26年1月23日(2014.1.23)
【手続補正１】
【補正対象書類名】特許請求の範囲
【補正対象項目名】全文
【補正方法】変更
【補正の内容】
【特許請求の範囲】
【請求項１】
複数のメモリデバイスの１つに書き込みコマンドを動作させる方法であって、
前記メモリデバイスの第１のポートと関連する第１のＩＤ番号および前記メモリデバイスの第２のポートと関連する第２のＩＤ番号を、各前記メモリデバイスに記憶するステップと、
１つの前記メモリデバイスにより、前記第１のポートおよび前記第２のポートの少なくとも１つを介して、第１のコマンドＩＤ番号を有し、書き込みデータを伴う、書き込みコマンドを受け取るステップと、
前記第１のコマンドＩＤ番号が前記第１のＩＤ番号と等しく、前記書き込みコマンドが前記第１のポートで受け取られたときに、前記書き込みデータを前記１つのメモリデバイスのメモリアレイに書き込むステップと、
前記第１のコマンドＩＤ番号が前記第２のＩＤ番号と等しく、前記書き込みコマンドが前記第２のポートで受け取られたときに、前記書き込みデータを前記１つのメモリデバイスの前記メモリアレイに書き込むステップと、
を含む、方法。
【請求項２】
前記書き込みデータを前記１つのメモリデバイスの前記メモリアレイに書き込む前記ステップは、
前記１つのメモリデバイスのバッファへ前記書き込みデータを書き込むステップと、
前記バッファから前記メモリアレイへ前記書き込みデータを書き込むステップと、
を含む、請求項１に記載の方法。
【請求項３】
前記複数のメモリデバイスは直列に接続されている、
請求項１に記載の方法。
【請求項４】
前記書き込みコマンドが前記第１のポートで受け取られ、前記コマンドＩＤが前記第１のＩＤ番号と等しくないときに、前記書き込みコマンドを実行せずに前記メモリデバイスから前記第２のポートを介して送るステップと、
前記書き込みコマンドが前記第２のポートで受け取られ、前記コマンドＩＤが前記第２のＩＤ番号と等しくないときに、前記書き込みコマンドを実行せずに前記メモリデバイスから前記第１のポートを介して送るステップと、
をさらに含む、請求項３に記載の方法。
【請求項５】
前記書き込みデータを前記１つのメモリデバイスの前記メモリアレイに書き込む前記ステップは、
前記メモリデバイスの前記第１のポートで前記書き込みデータの第１の部分を受け取るステップと、
前記メモリアレイの第１の部分へ、前記書き込みデータの前記第１の部分を書き込むステップと、
前記メモリデバイスの前記第２のポートで前記書き込みデータの第２の部分を受け取るステップと、
前記メモリアレイの第２の部分へ、前記書き込みデータの前記第２の部分を書き込むステップと、
を含む、請求項４に記載の方法。
【請求項６】
前記１つのメモリデバイスにより、前記第１のポート及び前記第２のポートの他方のポートを介して、第２のコマンドＩＤ番号を有する読み取りコマンドを受け取るステップと、
前記第２のコマンドＩＤ番号が前記第１のＩＤ番号と等しく、前記第１のポートで前記読み取りコマンドが受け取られたとき、前記１つのメモリデバイスの前記第１のポートから前記読み取りデータを出力するステップと、
前記第２のコマンドＩＤ番号が前記第２のＩＤ番号と等しく、前記第２のポートで前記読み取りコマンドが受け取られたとき、前記１つのメモリデバイスの前記第２のポートから前記読み取りデータを出力するステップと、
をさらに含む、請求項１に記載の方法。
【請求項７】
前記読み取りデータを出力する前記ステップは、
前記１つのメモリデバイスのバッファから前記読み取りデータを送るステップを含む、請求項６に記載の方法。
【請求項８】
前記読み取りデータを出力する前記ステップは、
前記１つのメモリデバイスの前記メモリアレイから前記読み取りデータを送るステップを含む、請求項７に記載の方法。
【請求項９】
前記読み取りデータを出力する前記ステップは、
前記１つのメモリデバイスの前記メモリアレイから前記読み取りデータを送るステップを含む、請求項６に記載の方法。
【請求項１０】
前記第１のコマンドＩＤ番号と前記第２のコマンドＩＤ番号のそれぞれが、前記１つのメモリデバイスの前記第１のＩＤ番号と前記第２のＩＤ番号に相当するとき、前記メモリアレイに前記書き込みデータを書き込み、同時に前記メモリアレイから前記読み取りデータを送るステップと、
をさらに含む、請求項８に記載の方法。
【請求項１１】
前記第１のコマンドＩＤ番号と前記第２のコマンドＩＤ番号のそれぞれが、前記１つのメモリデバイスの前記第１のＩＤ番号と前記第２のＩＤ番号に相当するとき、前記メモリアレイに前記書き込みデータを書き込み、同時に前記メモリアレイから前記読み取りデータを送るステップと、
をさらに含む、請求項９に記載の方法。
【請求項１２】
複数のメモリデバイスの１つに読み取りコマンドを動作させる方法であって、
前記メモリデバイスの第１のポートで受け取られた第１のＩＤ番号および前記メモリデバイスの第２のポートと関連する第２のＩＤ番号を、各前記メモリデバイスに記憶するステップと、
１つの前記メモリデバイスにより、前記第１のポートおよび前記第２のポートの少なくとも１つを介して、第１のコマンドＩＤ番号を有する読み取りコマンドを受け取るステップと、
前記第１のコマンドＩＤ番号が前記第１のＩＤ番号と等しく、前記読み取りコマンドが前記第１のポートで受け取られたときに、読み取りデータを前記１つのメモリデバイスから出力するステップと、
前記第１のコマンドＩＤ番号が前記第２のＩＤ番号と等しく、前記読み取りコマンドが前記第２のポートで受け取られたときに、前記読み取りデータを前記１つのメモリデバイスから出力するステップと、
を含む方法。
【請求項１３】
前記読み取りデータを出力するステップは、
前記１つのメモリデバイスのバッファから前記読み取りデータを読み取るステップと、
前記１つのメモリデバイスから前記読み取りデータを出力するステップと、
を含む、請求項１２に記載の方法。
【請求項１４】
前記１つのメモリデバイスのバッファから前記読み取りデータを読み取るステップは、前記メモリアレイから前記バッファへ前記読み取りデータを送るステップを含む、
請求項１３に記載の方法。
【請求項１５】
前記複数のメモリデバイスは直列に接続されている、
請求項１２に記載の方法。
【請求項１６】
前記読み取りコマンドが前記第１のポートで受け取られ、前記コマンドＩＤが前記第１のＩＤ番号と等しくないときに、前記読み取りコマンドを実行せずに前記メモリデバイスから前記第２のポートを介して送るステップと、
前記読み取りコマンドが前記第２のポートで受け取られ、前記コマンドＩＤが前記第２のＩＤ番号と等しくないときに、前記読み取りコマンドを実行せずに前記メモリデバイスから前記第１のポートを介して送るステップと、
をさらに含む、請求項１５に記載の方法。
【請求項１７】
前記１つのメモリデバイスから前記読み取りデータを出力するステップは、
前記１つのメモリデバイスから前記第１のポートを介して、前記読み取りデータの第１の部分を出力するステップと、
前記１つのメモリデバイスから前記第２のポートを介して、前記読み取りデータの第２の部分を出力するステップと、
を含む、請求項１６に記載の方法。
【請求項１８】
前記１つのメモリデバイスから前記読み取りデータを出力するステップは、
前記第１の部分と前記第２の部分の１つを、前記第１のＩＤ番号と前記第２のＩＤ番号との差と等しいクロックサイクルの数だけ遅延させるステップを含む、請求項１７に記載の方法。
【請求項１９】
前記１つのメモリデバイスにより、前記第１のポート及び前記第２のポートの他方のポートを介して、第２のコマンドＩＤ番号を有し、書き込みデータを伴う、書き込みコマンドを受け取るステップと、
前記第２のコマンドＩＤ番号が前記第１のＩＤ番号と等しく、前記第１のポートで前記書き込みコマンドが受け取られたとき、前記１つのメモリデバイスのメモリアレイへ前記書き込みデータを書き込むステップと、
前記第２のコマンドＩＤ番号が前記第２のＩＤ番号と等しく、前記第２のポートで前記書き込みコマンドが受け取られたとき、前記１つのメモリデバイスの前記メモリアレイへ前記書き込みデータを書き込むステップと、
をさらに含む、請求項１２に記載の方法。
【請求項２０】
前記１つのメモリデバイスにより、前記第１のポート及び前記第２のポートの他方のポートを介して、第２のコマンドＩＤ番号を有し、書き込みデータを伴う、書き込みコマンドを受け取るステップと、
前記第２のコマンドＩＤ番号が前記第１のＩＤ番号と等しく、前記第１のポートで前記書き込みコマンドが受け取られたとき、前記１つのメモリデバイスのメモリアレイへ前記書き込みデータを書き込むステップと、
前記第２のコマンドＩＤ番号が前記第２のＩＤ番号と等しく、前記第２のポートで前記書き込みコマンドが受け取られたとき、前記１つのメモリデバイスの前記メモリアレイへ前記書き込みデータを書き込むステップと、をさらに含み、
前記第１のコマンドＩＤ番号と前記第２のコマンドＩＤ番号の両方が、前記１つのメモリデバイスの前記第１のＩＤ番号と前記第２のＩＤ番号の１つにそれぞれ相当するとき、前記メモリアレイに前記書き込みデータを書き込むステップと、前記メモリアレイから前記読み取りデータを送るステップとが、同時に行われる、
請求項１４に記載の方法。